(57)【要約】      （修正有）【課題】のぞき見防止が可能な携帯端末の保護装置を提供する。【解決手段】携帯端末の保護装置であって、携帯端末保護装置は、保護装置本体１を備え、本体１の上面にはのぞき見防止複合層２を設置することを特徴とする。のぞき見防止複合層は、上から下へと順番に、略平行に設置するアンチグレアハードコーティング層、光学複合層、のぞき見防止層、ＰＥＴ層を含む。これにより、携帯端末の保護装置上に、のぞき見防止複合層を直接設置するため、携帯端末の保護装置を使用すれば、即のぞき見防止機能を実現できるため、操作が簡便である。【選択図】図１
0003188912.tif 000002
【実用新案登録請求の範囲】
【請求項１】
携帯端末の保護装置であって、保護装置本体を備え、その上面には、のぞき見防止複合層を設置することを特徴とする携帯端末の保護装置。
【請求項２】
前記のぞき見防止複合層は、上から下へと順番に、略平行に設置するアンチグレアハードコーティング層、光学複合層、のぞき見防止層、ＰＥＴ層を含むことを特徴とする請求項１に記載の携帯端末の保護装置。
【請求項３】
前記のぞき見防止層は、複数ののぞき見防止細板を備え、
前記各のぞき見防止細板と前記光学複合層は略垂直で、横方向、縦方向共に前記各のぞき見防止細板を略平行、かつ略等距離で設置し、略均一なグリッドを組成し、
或いは前記各のぞき見防止細板はすべて略平行で、かつ略等距離に設置することを特徴とする請求項２に記載の携帯端末の保護装置。
【請求項４】
前記のぞき見防止複合層は、光学のぞき見防止複合層であることを特徴とする請求項１  に記載の携帯端末の保護装置。
【請求項５】
前記保護装置本体の上面はすべて、前記のぞき見防止複合層であることを特徴とする請求項１に記載の携帯端末の保護装置。
【請求項６】
前記保護装置本体の上面の、携帯端末のスクリーンに対応する部分には、前記のぞき見防止複合層を嵌め入れて設置することを特徴とする請求項１に記載の携帯端末の保護装置。
【請求項７】
前記のぞき見防止複合層の外側にはさらに、保護層を設置することを特徴とする請求項１に記載の携帯端末の保護装置。
【請求項８】
前記保護装置本体は、携帯電話端末保護装置本体、タブレットＰＣ保護装置本体、ポータブルＰＣ保護装置本体、或いはモバイルデジタル製品保護装置本体であることを特徴とする請求項１に記載の携帯端末の保護装置。
【請求項９】
前記保護装置本体は、レザー本体、プラスチック本体、金属本体、或いは木質本体であることを特徴とする請求項１に記載の携帯端末の保護装置。
【請求項１０】
前記携帯端末の保護装置は、保護カバー、或いはサポート固定フレームであることを特徴とする請求項１に記載の携帯端末の保護装置。
【考案の詳細な説明】
【技術分野】
【０００１】
本考案は携帯端末の保護装置に関し、特にのぞき見防止が可能な携帯端末の保護装置に関する。
【背景技術】
【０００２】
従来の携帯端末ののぞき見防止フィルターを用い、のぞき見防止機能を実現するためには、携帯端末のスクリーンにそれを接着する必要があった。
しかし、普通のユーザーにとって、従来ののぞき見防止フィルターの接着や交換は複雑である。
本考案は、従来の携帯端末ののぞき見防止フィルターの上記した欠点に鑑みてなされたものである。
【考案の概要】
【考案が解決しようとする課題】
【０００３】
本考案は、のぞき見防止複合層を設置する携帯端末の保護装置を提供する。
【課題を解決するための手段】
【０００４】
上記課題を解決するため、本考案は下記の携帯端末の保護装置を提供する。
携帯端末の保護装置は、保護装置本体を備え、該保護装置本体の上面には、のぞき見防止複合層を設置する。また、当該のぞき見防止複合層は、上から下へと順番に平行に設置するアンチグレアハードコーティング層、光学複合層、のぞき見防止層、ＰＥＴ層を備えてもよい。
該のぞき見防止層は、多数ののぞき見防止細板を備え、該のぞき見防止細板と光学複合層とは、垂直で、横方向、縦方向にあるのぞき見防止細板は平行で、かつ等距離で設置し、均一なグリッドを組成し、或いはすべてののぞき見防止細板は平行で、かつ等距離に設置してもよい。
該のぞき見防止複合層は、光学のぞき見防止複合層であってもよい。
該保護装置本体の上面はすべて、のぞき見防止複合層であってもよい。
該保護装置本体の上面の、携帯端末スクリーンに対応する部分に、のぞき見防止複合層を嵌めて設置し、該のぞき見防止複合層の外面にはさらに、保護層を設置してもよい。
該保護装置本体は、携帯電話端末保護装置本体、タブレットＰＣ保護装置本体、ポータブルＰＣ保護装置本体、或いはモバイルデジタル製品保護装置本体であってもよい。
該保護装置本体は、レザー本体、プラスチック本体、金属本体或いは木質本体であってもよい。
該携帯端末の保護装置は、保護カバー或いはサポート固定フレームであってもよい。
【考案の効果】
【０００５】
本考案の携帯端末の保護装置は、のぞき見防止複合層を携帯端末の保護装置上に直接設置するため、即のぞき見防止機能を実現でき、操作が簡便である。
【図面の簡単な説明】
【０００６】
【図１】本考案携帯端末の保護装置の構造模式図である。
【図２】本考案携帯端末の保護装置の別種の構造模式図である。
【図３】本考案携帯端末の保護装置のさらに別種の構造模式図である。
【図４】本考案携帯端末の保護装置ののぞき見防止複合層の構造模式図である。
【考案を実施するための形態】
【０００７】
以下に図面を参照しながら本考案を実施するための最良の形態について詳細に説明する。
【０００８】
図１、図２、図３は、本考案携帯端末の保護装置の３種の実施例の構造模式図、図４は、本考案携帯端末の保護装置ののぞき見防止複合層の構造模式図である。
【０００９】
図２、図３に示すように、携帯端末の保護装置は、保護装置本体１、保護装置本体１の上面に設置するのぞき見防止複合層２を備える。
【００１０】
のぞき見防止複合層２は、上から下へと順番に平行に設置するアンチグレアハードコーティング層２１、光学複合層２２、のぞき見防止層２３、ＰＥＴ層２４を備える。
のぞき見防止層２３は、多数ののぞき見防止細板２３１を備え、のぞき見防止細板２３１と光学複合層２２とは、略垂直である。
横方向、縦方向にあるのぞき見防止細板２３１は略平行で、かつ、略等距離で設置し、略均一なグリッドを組成し、或いは、すべてののぞき見防止細板２３１は平行で、かつ等距離に設置する。
保護装置本体１の上面はすべて、のぞき見防止複合層２である。
のぞき見防止複合層２の外側にはさらに、保護層３を設置する。
【００１１】
保護装置本体１は、携帯電話端末保護装置本体、タブレットＰＣ保護装置本体、ポータブルＰＣ保護装置本体、或いはモバイルデジタル製品保護装置本体である。
保護装置本体１は、レザー本体、プラスチック本体、金属本体、或いは木質本体であってもよい。
携帯端末の保護装置は、保護カバー、或いはサポート固定フレームであってもよい。
【００１２】
保護装置本体１の上面に直接設置するのぞき見防止複合層２を通して、携帯端末の保護装置を使用することで、のぞき見防止機能を実現でき、操作が簡便である。
保護装置本体１の設計は多様で、図２に示すように、保護装置本体１の上面は開くことができる。
携帯端末を、保護装置本体１の下蓋に固定し、保護装置本体１の上面全体はすべて、のぞき見防止複合層２である。
【００１３】
さらに、のぞき見防止複合層２を保護するため、図３に示すように、のぞき見防止複合層２の外側に保護層３を設置する。
のぞき見防止複合層２の具体的構造は、図４に示す。
のぞき見防止層２３は、多数の略平行かつ略等距離で設置するのぞき見防止細板２３１を備える。
各のぞき見防止細板２３１の厚みは極めて薄く、正面から見ても、スクリーンの視覚効果に影響を及ぼすことはないが、のぞき見防止細板２３１は、光を透過させないため、側面から見る視線は、のぞき見防止細板２３１に阻まれる。
図４に示すように、αは、本考案使用の可視角度で、この範囲なら、携帯端末の使用者の情報に対して良好な保護効果を発揮することができる。
【００１４】
多数の方向にのぞき見防止効果を提供するため、平行に設置するのぞき見防止細板２３１の他に、もともとののぞき見防止細板２３１と垂直の、多数ののぞき見防止細板２３１を増設することが可能であり、これにより全面プロテクトの効果を達成する。
保護装置本体１は、携帯電話端末保護装置本体、タブレットＰＣ保護装置本体、ポータブルＰＣ保護装置本体、或いはモバイルデジタル製品保護装置本体であるが、上記したタイプの携帯端末に限定するものではなく、他の携帯端末製品に対しても、対応する設計を作り出すことができる。
【００１５】
保護装置本体１は、レザー本体、プラスチック本体、金属本体、或いは木質本体であってもよい。携帯端末の保護装置は、保護カバー或いはサポート固定フレームであってもよい。
【００１６】
本考案の一実施形態においては、のぞき見防止複合層２は、光学のぞき見防止複合層である。
図１に示すように、保護装置本体１の上面の、携帯端末スクリーンに対応する部分に、のぞき見防止複合層２を嵌めて設置する。
嵌め込み式設計は、フレーム枠を利用し、のぞき見防止複合層２に対して、一定の保護作用を達成する。
本考案は、外面に保護層３を増設することもでき、これにより全面的な保護を達成する。
【００１７】
上記の本考案名称と内容は、本考案技術内容の説明に用いたのみで、本考案を限定するものではない。本考案の精神と同様の考案或いは部品（構造）の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１  保護装置本体
２  のぞき見防止複合層
２１  アンチグレアハードコーティング層
２２  光学複合層
２３  のぞき見防止層
２３１  のぞき見防止細板
２４  ＰＥＴ層
３  保護層。
【図１】
0003188912.tif 000003
【図２】
0003188912.tif 000004
【図３】
0003188912.tif 000005
【図４】
0003188912.tif 000006